(57)【要約】  本発明は、ガス置換又はガス制御された密閉保管容器（１００）のためのガス選択デバイス（１）であって、中空本体（２）、少なくとも１つの第１の開口（３）、第２の開口（４）、及び第１の膜（５）を備え、前記第１及び第２の開口（３、４）が、前記本体（２）の内部をその外部に接続しており、前記第１の膜（５）が、第１の開口（３）から第２の開口（４）に又は逆に流れるガスが前記第１の膜（５）を専ら必ず通るように、前記第１及び第２の開口（３、４）の間で前記本体（２）の内部に配設されており、デバイス（１）が、その第２の開口（４）から容器（１００）の壁の１つ（１０１）を通る又は逆のガスの流れを可能にするように、壁（１０１）に密閉式に固定されるように配置されている点が注目に値する、ガス選択デバイスに関する。【選択図】図１
2020503215.tif 000002
【特許請求の範囲】
【請求項１】
例えば青果又は花などの生鮮品を保管するためにガス置換又はガス制御された密閉保管容器（１００）のためのガス選択デバイス（１、５１、１５１、２５１）であって、中空本体（２、５２、１５２、２５２）、少なくとも１つの第１の開口（３、５３、１５３、２５３）、第２の開口（４、５４、１５４、２５４）、及び第１の膜（５、５５、１５５、２５５）を備え、前記第１及び第２の開口（３、５３、１５３、２５３；４、５４、１５４、２５４）が前記本体（２、５２、１５２、２５２）の内部をその外部と接続しており、前記第１の膜（５、５５、１５５、２５５）が、前記第１の開口（３、５３、１５３、２５３）から前記第２の開口（４、５４、１５４、２５４）に又は逆に流れるガスが前記第１の膜（５、５５、１５５、２５５）を専ら必ず通るように、前記第１及び第２の開口（３、５３、１５３、２５３；４、５４、１５４、２５４）の間で前記本体（２、５２、１５２、２５２）の内部に配設されており、前記本体（２、５２、１５２）が、少なくとも前記第１の開口（３、５３、１５３）が設けられた少なくとも１つの第１の枠（６、５６、１５６）と、少なくとも前記第２の開口（４、５４、１５４）が設けられた第２の枠（７、５７、１５７）とを備える、ガス選択デバイスにおいて、前記第２の枠（７、５７、１５７）が、前記本体（２、５２、１５２）の外部に突出する中空円筒管（１４、５８）を前記第２の開口（４、５４、１５４）に沿って備え、前記容器（１００）の壁の１つ（１０１）には、前記容器（１００）の内部をその外部に接続する開口（１０２）が設けられており、前記中空円筒管が、その第２の開口（４、５４、１５４、２５４）から前記壁（１０１）の前記開口（１０２）を通る又は逆のガスの流れを可能にするように、前記ガス選択デバイス（１、５１、１５１、２５１）を前記開口（１０２）に沿って前記容器（１００）の前記壁（１０１）に密閉式に固定するために、前記開口（１０２）に挿入されるように配置されていることを特徴とする、ガス選択デバイス（１、５１、１５１、２５１）。
【請求項２】
前記中空円筒管（１４、５８）が、前記中空円筒管が挿入されるように配置された前記壁（１０１）を越えて延びていることを特徴とする、請求項１に記載のガス選択デバイス（１、５１、１５１）。
【請求項３】
前記管（１４、５８）の自由端に取付部材（１５）が設けられており、前記取付部材が、前記第２の枠（７、５７、１５７）を前記壁（１０１）に非恒久的に固定するために相補的取付部材（１６）と協働できることを特徴とする、請求項２に記載のガス選択デバイス（１、５１、１５１）。
【請求項４】
前記ガス選択デバイス（１、５１）が前記容器（１００）に固定されるときに前記容器（１００）の前記壁（１０１）と前記第２の枠（７、５７、１５７）との間で圧縮されるように配置されたパッキン（１７）を備えることを特徴とする、請求項１〜３のうちいずれか一項に記載のガス選択デバイス（１、５１、１５１）。
【請求項５】
前記第１及び第２の枠（６、７）が密閉式に組み合わされており、前記第１の膜（５）が、その周縁（８）が前記第１及び第２の枠（６、７）それぞれの周縁（９、１０）の間に密閉式に把持されるように配置されていることを特徴とする、請求項１〜４のうちいずれか一項に記載のガス選択デバイス（１）。
【請求項６】
前記第２の枠（５７）が、前記本体（５２）の第３の開口（５９）に相当する開口を備え、前記開口が、前記第２の枠（５７）の内部をその外部に接続しており、前記本体（５２）が、前記第１の枠（５６）と前記第２の枠（５７）との間に、２つの概ね管状の第３の枠（６１）と、前記第３の枠（６１）同士の間に配設された第４の枠（６２）とを備え、前記第４の枠が、前記本体（５２）の第４の開口（６３）に相当する少なくとも１つの横開口を備え、前記少なくとも１つの横開口が、前記第４の枠（６２）の内部をその外部に接続しており、前記ガス選択デバイス（５１）が、前記本体（５２）の内部に配設された、第２の膜（６８）及び２つの第３の膜（６９）を備え、よって、前記本体（５２）の前記第１、第３及び第４の開口（５３；５９；６３）から前記本体（５２）の前記第２の開口（５４）に又は逆に流れるガスがそれぞれ、前記第１、第２及び第３の膜（５５；６５；６６）を専ら必ず通るようになっていることを特徴とする、請求項１〜４のうちいずれか一項に記載のガス選択デバイス（５１）。
【請求項７】
前記本体（１５２）が、前記第１の枠（１５６）と前記第２の枠（１５７）との間に、概ね管状の第３の枠（１５８）と、第４の枠（１５９）とを備え、前記第４の枠が、前記本体（１５２）の第３の開口（１６１）に相当する少なくとも１つの横開口を備え、前記少なくとも１つの横開口が、前記第４の枠（１５９）の内部をその外部と接続しており、前記ガス選択デバイス（１５１）が、前記本体（５２）の内部に配設された２つの第２の膜（１６２）を備え、よって、前記本体（１５２）の前記第１及び第３の開口（１５３；１６１）から前記本体（１５２）の前記第２の開口（１５４）に又は逆に流れるガスがそれぞれ、前記第１及び第２の膜（１５５；１６２）を専ら必ず通るようになっていることを特徴とする、請求項１〜４のうちいずれか一項に記載のガス選択デバイス（１５１）。
【請求項８】
各膜に襞が付けられていることを特徴とする、請求項１〜７のうちいずれか一項に記載のガス選択デバイス（１、５１、１５１）。
【請求項９】
２つの第２の開口（４、５４、１５４）を備え、少なくとも１つの同一のガス選択デバイス（１、５１、１５１）と、それらの２つの第２の開口（４、５４、１５４）の一方同士を少なくとも１つのシース（２００）を用いて接続するように並列に関連付けられており、そのようにして得られた組立体が、第１に、前記壁（１０１）に設けられた２つの開口（１０２）に沿って前記容器（１００）の前記壁の１つ（１０１）に密閉式に固定されており、前記第２の自由開口（４、５４、１５４）から前記壁（１０１）の関連する前記開口（１０２）を通る又は逆のガスの流れを可能にするように、前記容器（１００）の内部をその外部と接続しており、第２に、前記２つのガス選択デバイス（１、５１、１５１）及び前記密閉容器（１００）の内部で強制換気を生じさせるために、その自由端の一方で送風手段に接続していることを特徴とする、請求項１〜８のうちいずれか一項に記載のガス選択デバイス（１、５１、１５１）。
【発明の詳細な説明】
【技術分野】
【０００１】
本発明は、保存されるべき生鮮品が保管される空間を備えるガス置換又はガス制御された密閉保管容器の技術分野に関する。
【背景技術】
【０００２】
特に、例えば、青果、きのこ、又は花などの生鮮品の保管寿命を延ばすために、これら製品をガス置換又はガス制御された状態で保管するための、そのような密閉容器の使用が知られている。この種の容器の密閉は、非常に重要である。これは、密閉により、可能とされる最良の保管寿命を保証するために必要とされる酸素及び二酸化炭素のレベルを前記容器内で維持することが可能となるためである。
【０００３】
しかし、この種の容器において、収容された製品の保管寿命を延ばすように前記容器の内部でガス置換又はガス制御を実現するために、外部及び内部の周辺空気のガスの通過を選択的に制御することも非常に重要であり、ガスの前記通過は、前記容器の内部容積及び器に収容される製品の種類に依存する。
【発明の概要】
【発明が解決しようとする課題】
【０００４】
本発明の目的は、例えば青果又は花などの生鮮品を収容する少なくとも１つの空間を備える密閉保管容器の内部でガス置換又はガス制御の実現を可能にするガス選択デバイスを提案することである。本発明による前記ガス選択デバイスは、容器及び／又は保管される製品の寸法に応じて、選択的に、前記容器の内部と、外部及び内部の周辺空気のガスとの間の交換に迅速かつ簡単に適応することを可能にする。
【課題を解決するための手段】
【０００５】
したがって、本発明によれば、例えば青果又は花などの生鮮品を保管するためにガス置換又はガス制御された密閉保管容器のためのガス選択デバイスであって、中空本体、少なくとも１つの第１の開口、第２の開口、及び第１の膜を備え、前記第１及び第２の開口が前記本体の内部をその外部と接続し、前記第１の膜が、第１の開口から第２の開口に又は逆に流れるガスが前記第１の膜を専ら必ず通るように、前記第１及び第２の開口の間で前記本体の内部に配設され、前記本体が、少なくとも前記第１の開口が設けられた少なくとも１つの第１の枠と、少なくとも前記第２の開口が設けられた第２の枠とを備える、ガス選択デバイスにおいて、前記第２の枠が、本体の外部に突出する中空円筒管を第２の開口に沿って備え、容器の壁の１つには、容器の内部をその外部に接続する開口が設けられ、中空円筒管が、その第２の開口から壁の開口を通る又は逆のガスの流れを可能にするように、ガス選択デバイスを前記開口に沿って容器の前記壁に密閉式に固定するために、前記開口に挿入されるように配置されている点が注目に値する、ガス選択デバイスが提案される。
【０００６】
中空円筒管は、中空円筒管が挿入されるように配置された前記壁を越えて延びる。
【０００７】
有利には、管の自由端に取付部材が設けられ、取付部材は、第２の枠を前記壁に非恒久的に固定することを可能にするように相補的取付部材と協働することができる。
【０００８】
なお更有利には、ガス選択デバイスは、ガス選択デバイスが容器に固定されるときに容器の壁と第２の枠との間で圧縮されるように配置されたパッキンを備える。
【０００９】
好適な実施形態によれば、前記第１及び第２の枠は密閉式に組み合わされ、第１の膜は、その周縁が前記第１及び第２の枠それぞれの周縁の間に密閉式に把持されるように配置される。
【００１０】
ある変形実施形態によれば、第２の枠は、本体の第３の開口に相当する開口を備え、開口は、第２の枠の内部をその外部に接続し、本体は、第１の枠と第２の枠との間に、２つの概ね管状の第３の枠と、前記第３の枠同士の間に配設された第４の枠とを備え、第４の枠は、本体の第４の開口に相当する少なくとも１つの横開口を備え、少なくとも１つの横開口は、前記第４の枠の内部をその外部に接続し、ガス選択デバイスは、前記本体の内部に配設された、第２の膜及び２つの第３の膜を備え、よって、本体の第１、第３及び第４の開口から前記本体の第２の開口に又は逆に流れるガスはそれぞれ、第１、第２及び第３の膜を専ら必ず通るようになっている。
【００１１】
別の変形実施形態によれば、本体は、第１の枠と第２の枠との間に、概ね管状の第３の枠と、第４の枠とを備え、第４の枠は、本体の第３の開口に相当する少なくとも１つの横開口を備え、少なくとも１つの横開口は、前記第４の枠の内部をその外部と接続し、ガス選択デバイスは、前記本体の内部に配設された２つの第２の膜を備え、よって、本体の前記第１及び第３の開口から前記本体の第２の開口に又は逆に流れるガスはそれぞれ、第１及び第２の膜を専ら必ず通るようになっている。
【００１２】
有利には、各膜に襞が付けられる。
【００１３】
最後の変形実施形態によれば、ガス選択デバイスは、２つの第２の開口を備え、少なくとも１つの同一のガス選択デバイスと、それらの２つの第２の開口の一方同士を少なくとも１つのシースを用いて接続するように並列に関連付けられており、そのようにして得られた組立体は、第１に、前記壁に設けられた２つの開口に沿って容器の壁の１つに密閉式に固定され、第２の自由開口から壁の関連する前記開口を通る又は逆のガスの流れを可能にするように、容器の内部をその外部と接続し、第２に、２つのガス選択デバイス及び密閉容器の内部で強制換気を生じさせるために、その自由端の一方で送風手段に接続する。
【００１４】
他の利点及び特徴は、ガス置換又はガス制御された生鮮品用密閉保管容器のための、本発明によるガス選択デバイスの実施形態の、添付図を参照した以下の説明からより明らかになるであろう。
【図面の簡単な説明】
【００１５】
【図１】本発明によるガス選択デバイスの概略断面図である。
【図２】図１のガス選択デバイスの概略分解断面図である。
【図３】本発明によるガス選択デバイスの第１の変形例の概略部分断面図である。
【図４】本発明によるガス選択デバイスの第２の変形例の概略部分断面図である。
【図５】本発明によるガス選択デバイスの第３の変形例の概略部分断面図である。
【図６】本発明によるガス選択デバイスの第４の変形例の概略部分断面図である。
【図７】本発明によるガス選択デバイスの最後の変形例の概略部分断面図である。
【図８】並列配置した、図７による２つのガス選択デバイスの概略図である。
【発明を実施するための形態】
【００１６】
技術的発明を実施する最良の方法
図１〜図２を参照すると、本発明は、例えば青果又は花などの、図に示していない生鮮品を保管するために、ガス置換又はガス制御された密閉保管容器１００のためのガス選択デバイス１に関する。
【００１７】
ガス選択デバイス１は、中空本体２と、少なくとも１つの第１の開口３と、第２の開口４と、第１の膜５とを備え、前記第１及び第２の開口３、４は、前記本体２の内部をその外部に接続し、前記第１の膜５は、第１の開口３から第２の開口４に又は逆に流れるガスが前記第１の膜５を専ら必ず通るように、前記第１及び第２の開口３、４の間で前記本体２の内部に配設される。
【００１８】
本発明の範囲から逸脱せずに、ガス選択デバイス１が複数の第１の開口３及び／又は複数の第２の開口４及び／又は複数の第１の膜５を備えてもよいことは、明らかに理解されるであろう。
【００１９】
更に、ガス選択デバイス１は、容器１００の壁の１つ１０１に設けられ容器１００の内部をその外部と接続する開口１０２に沿って、その第２の開口４から前記開口１０２を通る又は逆のガスの流れを可能にするように、前記壁１０１に密閉式かつ好ましくは取り外し可能に固定されるように配置される。  
【００２０】
好適な実施形態によれば、ガス選択デバイス１の本体２は、少なくとも第１の開口３が設けられた第１の枠６と、少なくとも第２の開口４が設けられた第２の枠７とを備え、前記第１及び第２の枠６、７は、密閉式に組み合わされる。
【００２１】
この構成において、第１の膜５は、その周縁８が、前記第１及び第２の枠６、７の間に、好ましくはそれらそれぞれの周縁９、１０の間に密閉式に把持されるように配置される。第１の膜５における完全なシールを確保するために、第１の枠６は、その周縁９に沿って、第２の枠７の周縁１０に沿って配設された相補的接続手段１２と協働する接続手段１１を備える。接続手段１１及び相補的接続手段１２はそれぞれ、雄及び雌部材又は雌及び雄部材であり、雄部材は好ましくは、関連する周縁から垂直に延びるリムであり、雌部材は好ましくは、関連する周縁に設けられた溝である。
【００２２】
第１の枠６は好ましくは、ガスの流れを可能にしながら膜５を衝撃から機械的に保護するために、第１の開口３に沿って格子１３を備える。
【００２３】
この好適な実施形態によれば、第２の枠７は、ガス選択デバイス１の本体２の外部に突出するように延びる中空円筒管１４を第２の開口４に沿って備え、中空円筒管は、容器１００の壁１０１の開口１０２に挿入されるように、かつ前記壁１０１を越えて延びるように配置される。この管１４の自由端に取付部材１５が設けられ、取付部材は、第２の枠７を前記壁１０１に、従ってガス選択デバイス１を前記容器１００に非恒久的に固定するために、相補的取付部材１６と協働することができる。
【００２４】
よって、図１を参照すると、管１４が容器１００の壁１０１の開口１０２に挿入されるとき、その自由端は、前記壁１０１の他方側に位置し、取付部材１５及び相補的取付部材１６は、ガス選択デバイス１に力を加えて、第２の枠７を壁１０１に押し付け、したがって、デバイス及び容器１００から成る組立体を固定しやすくするように協働する。この固定の不透過性を実現するために、有利にはＯリングシールであるパッキン１７が、管１４の周りに配設され、ガス選択デバイス１が容器に固定されるときに第２の枠７と壁１０１との間で圧縮されるように配置される。
【００２５】
取付部材１５及び相補的取付部材１６はそれぞれ、ネジ及びナットである。しかし、取付部材１５及び相補的取付部材１６は、本発明の範囲から逸脱せずに、例えば、消火器具に使用されるものと同様の迅速連結具又はクリップ／溝組立体など、任意の他の適した等価な類のものでもよい。
【００２６】
取付部材１５、相補的取付部材１６、及びパッキン１７が、ガス選択デバイス１を容器１００に密閉式かつ非恒久的に固定することを可能にすることは、明らかに理解されるであろう。
【００２７】
しかし、ガス選択デバイス１が、例えば溶接、接着結合又はクリンプなどの任意の適した技術などで容器１００に密閉式かつ恒久的に固定されてもよいことも、明らかに理解されるであろう。
【００２８】
本発明によるガス選択デバイス１が、容器及び／又は保管される製品の寸法に応じて、選択的に、前記容器１００の内部との、外部の周辺空気のガスの交換に迅速かつ簡単に適応することを可能にすることは、明らかに理解されるであろう。これは、容器１００が製造されると、容器は、前記容器１００の壁の１つ１０１に開口１０２を形成し、適した寸法のガス選択デバイス１を固定するか、又は前記容器１００の壁の１つ又は複数１０１に複数の開口１０２を形成し、各開口１０２に沿って、より小さな寸法のガス選択デバイス１を固定するかのいずれかに十分であるためであり、後者の構成は、前記容器１００の内部のガス流のより均質な分布を可能にする。
【００２９】
当業者は、容器の内部に要求される雰囲気及び容器に収容される製品に応じて、各膜を決定及び寸法決めすることに困難を伴わないであろう。
【００３０】
最後に、ガス選択デバイス１の構成によって、後者が前記容器１００の内部又は外部のいずれかで容器１００の壁１０１に無頓着に固定されてもよいことは、明らかに理解されるであろう。
【００３１】
他の実施形態の説明
図３に示した第１の変形実施形態によれば、ガス選択デバイス１のガス選択表面領域を、その全体寸法を増やす必要なしに増やすために、有利には第１の膜５に襞が付けられる。
【００３２】
図４に示した第２の変形実施形態によれば、ガス選択デバイス５１は、全て前述したものと同様である、少なくとも１つの第１の開口５３、第２の開口５４、及び第１の膜５５が設けられた、本体５２を備える。
【００３３】
その上、本体５２は、少なくとも第１の開口５３が設けられた第１の枠５６と、少なくとも第２の開口５４が設けられた第２の枠５７とを備える。
【００３４】
第１の枠５６は、前述した第１の枠６と同一である。
【００３５】
第２の枠５７は、前述した第１の枠６と同様であり、第２の開口５４に沿って配設された中空円筒管５８を備え、中空円筒管は、本体５２の外部に突出するように延びる。
【００３６】
しかし、この変形実施形態において、前記管５８は、前記第２の枠５７の厚さ全体にわたって内部にも延びる。第２の枠５７は、本体５２の第３の開口５９に相当する開口も備え、開口は、前記本体５２の第２の枠５７の内部を本体の外部に接続し、好ましくは保護格子６０を備える。
【００３７】
管５８の外部自由端に好ましくは、図４に示していない取付部材が設けられ、取付部材は、第２の枠５７を図４に示していない容器の壁に、従ってガス選択デバイス５１を前記容器に非恒久的に固定するために、図４に示していない相補的取付部材と協働することができる。
【００３８】
同じように、ガス選択デバイス５１は有利には、図４に示していないパッキンを備え、パッキンは、ガス選択デバイス５１が容器に固定されるときに容器の前記壁と第２の枠５７との間で圧縮されるように配置される。
【００３９】
加えて、この変形実施形態は、本体５２が、第１の枠５６と第２の枠５７との間に、２つの概ね管状の第３の枠６１と、前記第３の枠６１同士の間に配設された第４の枠６２とも備える点で、前の実施形態とは異なる。本体５２の前記枠５６、５７、６１、６２は、密閉式に互いに接続される。
【００４０】
第４の枠６２は、本体５２の第４の開口６３に相当し、かつ前記第４の枠６２の内部をその外部に接続する、少なくとも１つの横開口と、前記第４の枠６２を通るガスの流れを可能にするように第４の枠６２をその厚さ方向に一直線に通る移送管６４とを備える。
【００４１】
この第２の変形実施形態において、第１の膜５５は、その外周縁６５が、第１の枠５６と第３の枠６１の一方との間に、好ましくはそれらそれぞれの周縁６６、６７の間に密閉式に把持されるように適合される。
【００４２】
その上、ガス選択デバイス５１は、第１の膜５５と同様であり概ね環状の形状である、第２の膜６８及び２つの第３の膜６９を備える。
【００４３】
第２の膜６８は、第１に、その外周縁７０が第２の枠５７と第３の枠６１の一方との間に、好ましくはそれらそれぞれの周縁７１、６７の間に密閉式に把持されるように、第２に、その内周縁７２が、例えば接着結合などの任意の適した手段で、前記第２の枠５７の内部に位置する管５８の自由端に密閉式に取り付けられるように配置される。
【００４４】
各第３の膜６９は、第１に、その外周縁７３が第３の枠６１の一方と第４の枠６２との間に、好ましくは、それらそれぞれの周縁６７、７４の間に密閉式に把持されるように、第２に、その内周縁７５が、例えば接着結合などの任意の適した手段で、移送管６４の自由端の一方の周りに密閉式に取り付けられるように配置される。
【００４５】
このように構成されることで、ガス選択デバイス５１は、本体５２の第１、第３及び第４の開口５３、５９、６３から前記本体５２の第２の開口５４に又は逆に流れるガスがそれぞれ、第１、第２及び第３の膜５５、６８、６９を専ら必ず通ることを保証する。
【００４６】
この変形実施形態が、ガス選択デバイス５１のガス選択表面領域を、その全体寸法を大幅に増やす必要なしに増やすことを可能にすることは、容易に理解されるであろう。それは随意に、各種設計の膜に適合することを可能にする。
【００４７】
図５に示した第３のより最小限の変形例によれば、ガス選択デバイス１５１は、前述したものと同様である、少なくとも１つの第１の開口１５３、第２の開口１５４、及び第１の膜１５５が設けられた、本体１５２を備える。
【００４８】
その上、本体１５２は、少なくとも第１の開口１５３が設けられた第１の枠１５６と、少なくとも第２の開口１５４が設けられた第２の枠１５７とを備える。第１及び第２の枠１５６、１５７は、前述した第１及び第２の枠６、７と同一である。
【００４９】
本体１５２は更に、第１の枠１５６と第２の枠１５７との間に、第３の概ね管状の枠１５８と、第４の枠１５９とを備え、第３及び第４の枠１５８、１５９は、前述した第３及び第４の枠６１、６２と同一である。よって、第４の枠１５９は、移送管１６０と、本体５２の第３の開口１６１に相当する少なくとも１つの開口とを備える。本体１５２の前記枠１５６、１５７、１５８、１５９は、密閉式に組み合わされる。
【００５０】
同じように、ガス選択デバイス１５１は、前述した第３の膜６９と同一の２つの第２の膜１６２を備える。
【００５１】
各第２の膜１６２は、第１に、その外周縁１６３が第４の枠１５９と第３の枠１５８又は第２の枠１５７との間に、好ましくは、それらそれぞれの周縁同士の間に密閉式に把持されるように、第２に、その内周縁１６４が、例えば接着結合などの任意の適した手段で、第４の枠１５９の移送管１６０の自由端の一方の周りに密閉式に取り付けられるように配置される。
【００５２】
このように構成されることで、ガス選択デバイス１５１は、本体１５２の第１及び第３の開口１５３、１６１から前記本体１５２の第２の開口１５４に又は逆に流れるガスがそれぞれ、第１及び第２の膜１５５、１６２を専ら必ず通ることを保証する。
【００５３】
その上、１つ以上の新たな段を加えることによってガス選択デバイス５１、１５１のろ過面を更に増やすことを想像することができ、各段はそれぞれ、前述した第３の枠６１、１５８、第４の枠６２、１５９及び膜６９、１６２と同一である第３の枠、第４の枠及び追加の膜を備える。
【００５４】
図６に示した第４の変形例によれば、前述したようなガス選択デバイス１が少なくとも２つ、並列に配設され、密閉容器１００上に配置される。よって各ガス選択デバイス１は、少なくとも１つの第１の開口３、第２の開口４、及び第１の膜５が設けられた、本体２を備える。
【００５５】
その上、本体２は、少なくとも第１の開口３が設けられた第１の枠６と、少なくとも第２の開口４が設けられた第２の枠７とを備える。
【００５６】
しかし、この変形実施形態において、各ガス選択デバイス１は、２つの第２の開口４を備える。
【００５７】
この構成は、図６に従って、それらの２つの第２の開口４の一方同士を接続する少なくとも１つのシース２００を用いて、少なくとも２つのガス選択デバイス１を並列に関連付けることを可能にする。このようにして得られた組立体は、容器１００の壁の１つ１０１に設けられ容器１００の内部をその外部と接続する２つの開口１０２に沿って、第２の自由開口４、すなわち、シース２００に接続されていない開口から壁１０１の前記関連する開口１０２を通る又は逆のガスの流れを可能にするように、前記壁１０１に密閉式に固定される。
【００５８】
容器１００に固定されると、ガス選択デバイス１及びシース２００から成る組立体は有利には、各ガス選択デバイス１の膜５を通じたガス交換を促すように、２つのガス選択デバイス１及び密閉容器１００の内部に、図６に示す矢印に従うか又は逆の強制換気を生じさせるために、その両端の一方で、示していない送風手段、例えばファンなどに接続される。
【００５９】
本発明の範囲から逸脱せずに、前述したガス選択デバイス１及びシース２００から成る組立体が、２つよりも多いガス選択デバイス１、従って１つよりも多いシース２００を備えてもよいことは、明らかに理解されるであろう。
【００６０】
更に、ガス選択デバイス１が、前述したガス選択デバイス５１又は１５１と同様であり、前述した第３の枠６１、１５８、第４の枠６２、１５９及び膜６９、１６２のそれぞれと同一である少なくとも１つの第３の枠、第４の枠及び追加の膜を備えてもよいことは言うまでもない。
【００６１】
最後に、本発明によるガス選択デバイスの並列配置に特に適した、図７に示した最後の変形例によれば、ガス選択デバイス２５１は、本体２５２と、少なくとも１つの第１の径方向開口２５３と、２つの第２の軸方向開口２５４と、好ましくは管状であり、前記第１及び第２の開口２５３、２５４の間に配設された第１の膜２５５とを備える。前記本体２５２は、概ね中空円筒管の形態であり、２つの端部横壁２５７によって塞がれた円筒周方向の縦壁２５６を備え、前記縦壁２５６には、少なくとも第１の開口２５３が設けられ、各横壁２５７には、少なくとも第２の開口２５４が設けられる。ガス選択デバイス２５１のこの構成において、第１の膜２５５は、その周縁２５８が、横壁２５７と縦壁２５６との間に密閉式に把持されるように配置される。
【００６２】
各横壁２５７は好ましくは、第２の開口２５４に沿って中空円筒管２５９を備え、中空円筒管は、ガス選択デバイス２５１の本体２５２の外部に突出するように延び、示していない容器の壁の開口に挿入されるように配置される。
【００６３】
図８を参照すると、この変形例が、少なくとも２つの円筒ガス選択デバイス２５１を縦に並べて置いて、得られた組立体の第２の自由開口２５４を、示していない容器の壁の１つに接続することにより、並列配置を容易に可能にすることは、明らかに理解されるであろう。
【００６４】
容器に固定されると、ガス選択デバイス２５１の組立体は有利には、ガス選択デバイス２５１及び容器の内部に強制換気を生じさせるために、その両端の一方で、示していない例えばファンなどの送風手段に接続される。
【産業上の利用可能性】
【００６５】
本発明によるガス選択デバイス１は特に、例えば青果又は花などの保存されるべき生鮮品が保管される硬質器と、器を密閉式に閉じるカウルとを備える、ガス置換又はガス制御された密閉保管容器１００に適用されるが、パレット又は部分的に硬質な保護カバーを包装するための可撓性カバー型の容器に使用されてもよい。
【００６６】
最後に、説明してきた本発明によるガス選択デバイス１の例が単に個々の例示であり、決して本発明を限定するものでないことは言うまでもない。
【図１】
2020503215.tif 000003
【図２】
2020503215.tif 000004
【図３】
2020503215.tif 000005
【図４】
2020503215.tif 000006
【図５】
2020503215.tif 000007
【図６】
2020503215.tif 000008
【図７】
2020503215.tif 000009
【図８】
2020503215.tif 000010
【国際調査報告】
2020503215.tif 000011
2020503215.tif 000012
2020503215.tif 000013
2020503215.tif 000014